(57)【要約】      （修正有）【課題】円滑にプラグをソケット内に挿入することができる案内式電源コネクタを提供する。【解決手段】案内式電源コネクタには、コネクタセット１と案内装置２が設置され、コネクタセット１は、ソケット１１とプラグ１２を有し、案内装置２は、案内具２１と磁着具２２を有し、案内具２１及び磁着具２２は、それぞれソケット１１及びプラグ１２上に設置され、使用者がプラグ１２を手で持ってソケット１１に近接させるとき、磁着具２２の磁着力により案内具２１に吸着することで、使用者がソケット１１の位置を明瞭に知得できるようにする。【選択図】図１
0003211113.tif 000002
【実用新案登録請求の範囲】
【請求項１】
コネクタセットと案内装置を備える案内式電源コネクタであって、
前記コネクタセットは、ソケットとプラグを有し、前記ソケットの一側表面に挿入スロットが凹設され、前記プラグには、前記ソケットの前記挿入スロットに挿入するための挿入部が設置され、
前記案内装置は、案内具と磁着具を有し、前記案内具は案内部を含み、前記案内部上に中空部が設置され、前記案内具は前記ソケットの前記挿入スロットに近接する表面に設置されると共に、前記中空部を前記ソケットの前記挿入スロットに真向かいに対向させることで、前記挿入スロットを前記中空部に露出させる一方、前記磁着具は前記プラグの前記挿入部に設置され、
使用者が前記プラグを手で持って前記ソケットに近接させるとき、前記磁着具の磁着力により前記案内具に吸着することで、使用者が前記ソケットの位置を明瞭に知得できるようにすることを特徴とする、案内式電源コネクタ。
【請求項２】
前記案内装置の前記磁着具は、前記コネクタセットの前記挿入部の末端表面に嵌装されることを特徴とする、請求項１に記載の案内式電源コネクタ。
【請求項３】
前記案内装置の前記磁着具は、前記コネクタセットの前記挿入部の側表面に環状嵌装されることを特徴とする、請求項１に記載の案内式電源コネクタ。
【考案の詳細な説明】
【技術分野】
【０００１】
本考案は、案内式電源コネクタに関し、特に、案内装置がコネクタセットのソケットとプラグに設置され、プラグをソケットに近接させるとき、案内装置の磁力吸着により使用者がソケットの位置を明瞭に知得できるようにするので、使用者が円滑にプラグをソケット内に挿入することができる案内式電源コネクタに係る。
【背景技術】
【０００２】
従来、一般の壁掛け式家電製品は、表面の美観のためにソケットを家電製品の裏面に設置することが望ましいが、使用者がプラグをソケットに接続しようとするとき、往々にして家電製品が壁面に近接し過ぎると、使用者がソケットの位置を見ることができなくなり、プラグを円滑にソケットに接続することができなくなる。仮に、プラグを予めソケットに接続してから家電製品を取り付けることができるとしても、取り付けに不便をきたすこともある。
【考案の概要】
【考案が解決しようとする課題】
【０００３】
本考案の主な目的は、案内装置の案内具及び磁着具を利用して、それぞれコネクタセットのソケットとプラグに設置することで、使用者がソケットを見えない場合に、磁着具の磁着力を利用して案内具に吸着することで、使用者がソケットの位置を明瞭に知得できるようにして、プラグを円滑にソケットに挿入することにある。
【課題を解決するための手段】
【０００４】
上記目的を達成するため、本考案は、コネクタセットと案内装置が設置され、コネクタセットは、ソケットとプラグを有し、ソケットの一側表面に挿入スロットが凹設され、プラグには、ソケットの挿入スロットに挿入するための挿入部が設置される。案内装置は、案内具と磁着具を有し、案内具は案内部を含み、案内部上に中空部が設置され、案内具は前記ソケットの挿入スロットに近接する表面に設置されると共に、中空部をソケットの挿入スロットに真向かいに対向させることで、挿入スロットを中空部に露出させる一方、磁着具は前記プラグの挿入部に設置される。
【考案の効果】
【０００５】
使用者がプラグを手で持ってソケットに近接させるとき、磁着具の磁着力により案内具に吸着することで、使用者がソケットの位置を明瞭に知得できるようにする。
【図面の簡単な説明】
【０００６】
【図１】本考案の第１実施例の斜視外観図である。
【図２】本考案の第１実施例のソケットと案内具の斜視分解図である。
【図３】本考案の第１実施例のプラグがソケットに吸着される様子を示す図である。
【図４】本考案の第１実施例のプラグがソケットに挿入される様子を示す図である。
【図５】本考案の第２実施例のソケットの斜視外観図である。
【図６】本考案の第２実施例のプラグがソケットに吸着される様子を示す図である。
【図７】本考案の第２実施例のプラグがソケットに挿入される様子を示す図である。
【図８】本考案の第３実施例のソケットの斜視外観図である。
【図９】本考案の第３実施例のプラグがソケットに吸着される様子を示す図である。
【図１０】本考案の第３実施例のプラグがソケットに挿入される様子を示す図である。
【考案を実施するための形態】
【実施例１】
【０００７】
図１と図２を参照して図中から明らかなように、本考案は、コネクタセット１と案内装置２が設置される。
【０００８】
その中、コネクタセット１は、ソケット１１とプラグ１２を有し、ソケット１１の一側表面に挿入スロット１１１が凹設され、ソケット１１は、挿入スロット１１１の周縁に位置決め部１１２が突設され、かつソケット１１の周縁に位置決め溝１１３が凹設され、ソケット１１は、位置決め溝１１３内に係止リブ１１４が突設される一方、プラグ１２には挿入部１２１が設置され、挿入部１２１の一側に握持部１２２が接続される。
【０００９】
前記案内装置２は、案内具２１と磁着具２２を有し、案内具２１は感磁材料で作製され、それは案内部２１１を含み、案内部２１１上に中空部２１２が設置され、案内部２１１の周縁に位置決め片２１３が延設されると共に、位置決め片２１３上に位置決め孔２１４が設置され、かつ案内具２１は前記ソケット１１の挿入スロット１１１に近接する表面に設置されることによって、中空部２１２をソケット１１の位置決め部１１２の外側に位置させ、位置決め片２１３を折曲してソケット１１の位置決め溝１１３内に位置決めすると共に、ソケット１１の係止リブ１１４を位置決め孔２１４内に係止させる。また、磁着具２２は磁性材料で作製され、磁着具２２は、プラグ１２の挿入部１２１の末端表面に嵌装され、かつ磁着具２２は挿入部１２１の表面から突出する。
【００１０】
図１〜図４を参照して、本考案の使用時、コネクタセット１のソケット１１は、家電製品（図示せず）の裏面に設置され、使用者がプラグ１２をソケット１１に接続しようとするとき、プラグ１２の握持部１２２を握持して、家電製品の裏面に移動させることによって、プラグ１２をソケット１１に近接させるとき、磁着具２２の磁着力により案内具２１に吸着することで、この時、使用者に明瞭に磁力吸着によりソケット１１の位置を明確に分からせることができ、その上、簡単にラグ１２の挿入部１２１をソケット１１の挿入スロット１１１に挿入することができる。
【実施例２】
【００１１】
図５〜図７を参照して図中から明らかなように、本考案の第２実施例と前記第１実施例の相違点は、前記案内装置２の案内部２１１の表面に案内溝２１５が凹設されることで、磁着具２２を案内具２１に吸着するとき、磁着具２２は、案内溝２１５に沿って挿入部１２１を挿入スロット１１１内に挿入する。
【実施例３】
【００１２】
図８〜図１０を参照して図中から明らかなように、本考案の第３実施例と前記第１実施例の相違点は、前記案内装置２'の磁着具２２'は、コネクタセット１の挿入部１２１の側表面に環状嵌装され、これにより、プラグ１２をソケット１１に近接させるとき、磁着具２２'の磁着力により案内具２１'の案内部２１１'に吸着することができるほか、明確にソケット１１の位置を分からせることができ、磁着具２２'の磁着力により、また、プラグ１２の挿入部１２１をソケット１１の挿入スロット１１１に挿入した後、案内具２１'の中空部２１２'の周縁に吸着して位置決めが成される。
【符号の説明】
【００１３】
１：コネクタセット
１１：ソケット
１１１：挿入スロット
１１２：位置決め部
１１３：位置決め溝
１１４：係止リブ
１２：プラグ
１２１：挿入部
１２２：握持部
２，２'：案内装置
２１，２１'：案内具
２１１，２１１'：案内部
２１２，２１２'：中空部
２１３：位置決め片
２１４：位置決め孔
２１５：案内溝
２２，２２'：磁着具
【図１】
0003211113.tif 000003
【図２】
0003211113.tif 000004
【図３】
0003211113.tif 000005
【図４】
0003211113.tif 000006
【図５】
0003211113.tif 000007
【図６】
0003211113.tif 000008
【図７】
0003211113.tif 000009
【図８】
0003211113.tif 000010
【図９】
0003211113.tif 000011
【図１０】
0003211113.tif 000012